(57)【要約】【課題】より簡略な構造で操作部の蓋体の回動に係る操作を禁止するとともに蓋体の開放動作を防止することができる家庭用薄葉紙収納容器を提供する。【解決手段】家庭用薄葉紙収納容器１００は、内側にウェットシート等の家庭用薄葉紙Ｐを収納するとともに、家庭用薄葉紙Pの取出口１１を具備する容器本体１と、容器本体１の底面開口を塞ぐ底蓋２と、容器本体１の上部に取出口１１を開閉するように回動自在に取り付けられた上蓋３と、取出口１１を開状態とするために上蓋３の一端部を跳ね上げる動作を行う操作部４等を備えている。さらに、操作部４は、第２係合部（係合部）としての操作部側凸部（凸部）４２５を有しており、この操作部側凸部４２５と対向する上蓋３の前端面部３３には、第２被係合部（被係合部）としての蓋体側凸部（凸部）３３２が設けられている。【選択図】図７
2008296976.tif 000002
【特許請求の範囲】
【請求項１】
内側に家庭用薄葉紙を収納するとともに、前記家庭用薄葉紙の取出口を具備する容器本体と、前記容器本体に前記取出口を開閉するように回動自在に取り付けられた蓋体と、前記取出口を開状態とするために前記蓋体の一端部を跳ね上げる動作を行う操作部とを備える家庭用薄葉紙収納容器であって、
前記操作部は、
前記容器本体に対して回動自在に取り付けられ、当該回動の中心軸をなす回動軸部と、
前記回動軸部を中心とする回動により前記蓋体の一端部に接触して前記蓋体を跳ね上げる接触部とを有し、
前記容器本体は、前記回動軸部が取り付けられる長穴状の取付穴部を備え、
前記操作部は、前記回動軸部が前記取付穴部に沿って移動するように引き出されることで前記接触部が前記一端部に接触可能な接触位置に配置されるように構成され、
前記回動軸部が前記取付穴部に沿って移動するように前記操作部を押し込むことで、前記操作部又は容器本体の一方に設けられた係合部が、当該操作部又は容器本体の他方に設けられた被係合部に係合して前記回動軸部を中心とする前記操作部の回動と前記蓋体の回動とをともに規制する回動規制機構を備えることを特徴とする家庭用薄葉紙収納容器。
【請求項２】
前記係合部は凸部であるとともに、前記被係合部は凹部であり、
前記回動規制機構は、
前記係合部である凸部が、
前記被係合部である凹部に係合することで、前記回動軸部を中心とする前記操作部の回動と前記蓋体の回動とをともに規制するように構成されていることを特徴とする請求項１に記載の家庭用薄葉紙収納容器。
【請求項３】
前記係合部は、第１係合部と第２係合部とを備えるとともに、前記被係合部は、第１被係合部と第２被係合部とを備え、
前記回動規制機構は、
前記回動軸部が前記取付穴部に沿って移動するように押し込まれることで、前記第１係合部が前記第１被係合部に係合して前記回動軸部を中心とする前記操作部の回動を規制するとともに前記第２係合部が前記第２被係合部に係合して前記蓋体の回動を規制するように構成されていることを特徴とする請求項１に記載の家庭用薄葉紙収納容器。
【請求項４】
前記接触部が、前記第１係合部を構成し、  
前記容器本体に、
前記接触部を係合する前記第１被係合部としての凹部が設けられていることを特徴とする請求項３に記載の家庭用薄葉紙収納容器。
【請求項５】
前記第２係合部及び前記第２被係合部はともに凸部であり、
前記回動規制機構は、
前記第２係合部である操作部側凸部と前記第２被係合部である蓋体側凸部とが係合することで前記蓋体の回動を規制するように構成されていることを特徴とする請求項３又は４に記載の家庭用薄葉紙収納容器。
【請求項６】
前記第２係合部は、前記操作部の上端部に設けられた操作部上端凸部であり、
前記第２被係合部は、
前記蓋体における前記操作部側の上縁部に設けられた段部であり、
前記回動規制機構は、
前記第２係合部である操作部上端凸部と前記第２被係合部である段部とが係合することで前記蓋体の回動を規制するように構成されていることを特徴とする請求項３又は４に記載の家庭用薄葉紙収納容器。
【発明の詳細な説明】
【技術分野】
【０００１】
本発明は、ウェットシートやウェットティシュー等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
この家庭用薄葉紙収納容器として、家庭用薄葉紙の取出口を有する容器本体と、この容器本体に回動自在に設けられて取出口を開放及び閉塞する蓋体と、この蓋体を回動させて取出口を開放させる操作を行う操作ボタン等から構成されたものが知られている。
【０００３】
また、上記の家庭用薄葉紙収納容器の場合、操作ボタンの誤操作により蓋体が回動して取出口が開放状態となってしまう虞があるため、操作ボタンの蓋体を回動させる操作を不可能とするロック部材を設けた家庭用薄葉紙収納容器が知られている（例えば、特許文献１、２参照）。
【特許文献１】特開２００４−２６２４６１号公報
【特許文献２】特開２００１−１４６２４７号公報
【発明の開示】
【発明が解決しようとする課題】
【０００４】
しかしながら、上記特許文献１及び２に開示される家庭用薄葉紙収納容器等の場合、ロック部材が操作ボタンと別部材で設けられていることから、当該ロック部材や操作ボタンの構造が複雑化してしまい、コスト増を招いてしまうといった問題がある。
【０００５】
また、操作ボタンが容器本体に対して前後方向に移動（スライド）自在とされて、操作ボタンをその操作をロックするロック位置とアンロックするアンロック位置とに配置可能に構成された家庭用薄葉紙収納容器も開発されているが、かかる構成の場合、操作ボタンの回転軸部の周囲にスペースが必要となり、容器本体や蓋体との間に隙間が生じてがたついてしまうといった問題がある。
さらに、操作部をロックした際に、容器本体に対する当該操作部の回動は防止されるが、蓋体の開放動作を直接的に防止することはできず、例えば、蓋体を無理やりこじあけようとすると蓋体が開いてしまい、ロックを適正に行うことができないという問題があった。
【０００６】
そこで、本発明の課題は、より簡略な構造で操作部の回動に係る操作を禁止するとともに蓋体の開放動作を防止することができる家庭用薄葉紙収納容器を提供することである。
【課題を解決するための手段】
【０００７】
請求項１に記載の発明は、
内側に家庭用薄葉紙を収納するとともに、前記家庭用薄葉紙の取出口を具備する容器本体と、前記容器本体に前記取出口を開閉するように回動自在に取り付けられた蓋体と、前記取出口を開状態とするために前記蓋体の一端部を跳ね上げる動作を行う操作部とを備える家庭用薄葉紙収納容器であって、
前記操作部は、
前記容器本体に対して回動自在に取り付けられ、当該回動の中心軸をなす回動軸部と、
前記回動軸部を中心とする回動により前記蓋体の一端部に接触して前記蓋体を跳ね上げる接触部とを有し、
前記容器本体は、前記回動軸部が取り付けられる長穴状の取付穴部を備え、
前記操作部は、前記回動軸部が前記取付穴部に沿って移動するように引き出されることで前記接触部が前記一端部に接触可能な接触位置に配置されるように構成され、
前記回動軸部が前記取付穴部に沿って移動するように前記操作部を押し込むことで、前記操作部又は容器本体の一方に設けられた係合部が、当該操作部又は容器本体の他方に設けられた被係合部に係合して前記回動軸部を中心とする前記操作部の回動と前記蓋体の回動とをともに規制する回動規制機構を備えることを特徴としている。
【０００８】
請求項２に記載の発明は、請求項１に記載の家庭用薄葉紙収納容器において、
前記係合部は凸部であるとともに、前記被係合部は凹部であり、
前記回動規制機構は、
前記係合部である凸部が、
前記被係合部である凹部に係合することで、前記回動軸部を中心とする前記操作部の回動と前記蓋体の回動とをともに規制するように構成されていることを特徴としている。
【０００９】
請求項３に記載の発明は、請求項１に記載の家庭用薄葉紙収納容器において、
前記係合部は、第１係合部と第２係合部とを備えるとともに、前記被係合部は、第１被係合部と第２被係合部とを備え、
前記回動規制機構は、
前記回動軸部が前記取付穴部に沿って移動するように押し込まれることで、前記第１係合部が前記第１被係合部に係合して前記回動軸部を中心とする前記操作部の回動を規制するとともに前記第２係合部が前記第２被係合部に係合して前記蓋体の回動を規制するように構成されていることを特徴としている。
【００１０】
請求項４に記載の発明は、請求項３に記載の家庭用薄葉紙収納容器において、
前記接触部が、前記第１係合部を構成し、  
前記容器本体に、
前記接触部を係合する前記第１被係合部としての凹部が設けられていることを特徴としている。
【００１１】
請求項５に記載の発明は、請求項３又は４に記載の家庭用薄葉紙収納容器において、
前記第２係合部及び前記第２被係合部はともに凸部であり、
前記回動規制機構は、
前記第２係合部である操作部側凸部と前記第２被係合部である蓋体側凸部とが係合することで前記蓋体の回動を規制するように構成されていることを特徴としている。
【００１２】
請求項６に記載の発明は、請求項３又は４に記載の家庭用薄葉紙収納容器において、
前記第２係合部は、前記操作部の上端部に設けられた操作部上端凸部であり、
前記第２被係合部は、
前記蓋体における前記操作部側の上縁部に設けられた段部であり、
前記回動規制機構は、
前記第２係合部である操作部上端凸部と前記第２被係合部である段部とが係合することで前記蓋体の回動を規制するように構成されていることを特徴としている。
【発明の効果】
【００１３】
請求項１に記載の発明によれば、家庭用薄葉紙収納容器は、回動規制機構を備えることにより、回動軸部が取付穴部に沿って移動するように操作部を押し込むことで、該操作部又は容器本体の一方に設けられた係合部が、当該操作部又は容器本体の他方に設けられた被係合部に係合し、回動軸部を中心とする操作部の回動と蓋体の回動とをともに規制することができる。すなわち、回動軸部が取付穴部に沿って移動するように操作部を押し込むという簡略な構造で、操作部の回動に係る操作を禁止することができるとともに蓋体の開放動作を防止することができる。換言すれば、操作部という一つの部材を押し込むという簡略な構造により、一度の操作をもって、操作部の回動と蓋体の開放動作とを同時に規制することができる。また、その結果、接触部による蓋体の跳ね上げ動作を規制することができるため、蓋体の開放による容器本体内部の気密性の低下を防止することができる。さらに、操作部の操作を規制した状態で蓋体のみが開いてしまうという事態を防止することができる。
【００１４】
請求項２に記載の発明によれば、請求項１に記載の発明と同様の効果が得られるのは無論のこと、特に、回動規制機構は、係合部である凸部が被係合部である凹部に係合することで、回動軸部を中心とする操作部の回動と蓋体の回動とをともに規制することができる。すなわち、凸部と凹部とを係合させるという簡略な構造で、操作部の回動に係る操作を禁止することができるとともに蓋体の開放動作を防止することができる。
【００１５】
請求項３に記載の発明によれば、請求項１に記載の発明と同様の効果が得られるのは無論のこと、特に、回動規制機構は、回動軸部が取付穴部に沿って移動するように押し込まれることで、第１係合部が第１被係合部に係合して回動軸部を中心とする操作部の回動が規制されるとともに、第２係合部が第２被係合部に係合して蓋体の回動が規制される。すなわち、操作部という一つの部材を押し込むという簡易な構造により、一度の操作をもって第１係合部と第１被係合部、及び、第２係合部と第２被係合部とを同時に係合させることができる。従って、回動軸部を中心とする操作部の回動に係る操作と蓋体の開放動作とを、一つの係合部と被係合部とで規制する場合に比べてより確実に防止することができる。
【００１６】
請求項４に記載の発明によれば、請求項３に記載の発明と同様の効果が得られるのは無論のこと、特に、回動規制機構は、第１係合部を構成する接触部と第１被係合部としての凹部とが係合することで、回動軸部を中心とする操作部の回動と蓋体の回動とがともに規制される。すなわち、第１係合部を構成する接触部が容器本体に設けられた第１被係合部としての凹部と係合することで、回動軸部を中心とする操作部の回動を確実に規制することができるとともに、この操作部に、第２係合部と第２被係合部との何れか一方が設けられていて、第１係合部及び第１被係合部が係合するのと同時にこれら第２係合部と第２被係合部とが係合することにより、蓋体の開放動作も確実に規制することができる。従って、第１係合部と第１被係合部、及び、第２係合部と第２被係合部とが係合した際に、容器本体の気密性が阻害されることをより確実に防止することができる。
さらに、接触部を容器本体の凹部と係合させる構成として、操作部の回動と蓋体の開放動作とを確実に防止できる構成としたことにより、例えば、回動軸部が取付穴部に沿って移動するように操作部を押し込んだり引き出したりする距離（ストローク）を短縮することができる。従って、操作性の向上を図ることができ、使い勝手のよい家庭用薄葉紙収納容器を提供することができる。また、接触部が第１係合部を兼ねることにより構造の簡略化を図ることができる。
【００１７】
請求項５に記載の発明によれば、請求項３又は４に記載の発明と同様の効果が得られるのは無論のこと、特に、回動規制機構は、第２係合部である操作部側凸部と第２被係合部である蓋体側凸部とが係合することで、蓋体の回動が規制される。従って、簡易な構造で操作部の回動に係る操作を確実に禁止することができるとともに、蓋体の開放動作を確実に防止することができる。
【００１８】
請求項６に記載の発明によれば、請求項３又は４に記載の発明と同様の効果が得られるのは無論のこと、特に、回動規制機構は、第２係合部である操作部上端凸部と第２被係合部である段部とが係合することで蓋体の回動が規制される。従って、簡易な構造で操作部の回動に係る操作を確実に禁止することができるとともに、蓋体の開放動作を確実に防止することができる。
【発明を実施するための最良の形態】
【００１９】
以下に、本発明を実施するための最良の形態について、図面を用いて詳細に説明する。ただし、発明の範囲は、以下の説明及び図示例に限定されない。
【００２０】
［実施形態１］
図１は、本発明を適用した好適な実施形態１として例示する家庭用薄葉紙収納容器１００を示す平面図であり、図２は、家庭用薄葉紙収納容器１００を示す正面図であり、図３は、家庭用薄葉紙収納容器１００を示す底面図である。また、図４は、図１のIV−IV線における家庭用薄葉紙収納容器１００の断面図であり、図５は、図４のうち、領域Ａの要部拡大断面図である。
なお、図３にあっては、後述する底蓋２の図示は省略するとともに、後述する上蓋３、操作部４、並びに容器本体１のうちの収納部５の外側に設けられている各部を破線で示すものとする。
また、以下の説明では、家庭用薄葉紙収納容器１００の前後方向をＸ軸方向として、操作部４が設けられている側を手前側とし、操作部４と反対側を後側とする。さらに、左右方向（幅方向）をＹ軸方向とし、上下方向をＺ軸方向とする。
【００２１】
本実施形態の家庭用薄葉紙収納容器１００は、例えば、図１〜図４に示すように、平面視にて略楕円形をなし全体として半球状に形成されている。
具体的には、家庭用薄葉紙収納容器１００は、例えば、内側にウェットシートやウェットティシュー等の家庭用薄葉紙Ｐを収納するとともに、この家庭用薄葉紙Pの取出口１１を具備する容器本体１と、この容器本体１の底面開口を塞ぐ底蓋２と、容器本体１の上部に取出口１１を開閉するように回動自在に取り付けられた蓋体としての上蓋３と、取出口１１を開状態とするために上蓋３の一端部を跳ね上げる動作を行う操作部４等を備えて構成されている。
【００２２】
容器本体１は、例えば、図４に示すように、底面開口部を構成する下端部に底蓋２が取り付けられることで家庭用薄葉紙Ｐを収納する収納部５を構成するようになっている。
また、容器本体１の上面部１２の略中央には、例えば、収納部５に収納された家庭用薄葉紙Ｐを取り出すための取出口１１が形成されている。この取出口１１は、例えば、不使用状態にて、収納部５の気密性（密閉性）を確保するために閉塞部材３aにより閉塞されるようになっている（図４参照）。
【００２３】
上面部１２の取出口１１よりも後側には、例えば、上蓋３をＹ軸方向の回動軸（後述）に沿って回動自在に取り付けるための回動取付部１６が設けられている。
回動取付部１６は、例えば、上蓋３を開く方向に付勢するねじりコイルバネ等の付勢部材１６１を備え、これにより、回動規制部（後述）による上蓋３の回動の規制が解除された状態では、上蓋３が回動して取出口１１を露出させるようになっている（図６参照）。
なお、付勢部材１６１としては、ねじりコイルバネに限られるものではなく、上蓋３を開く方向に付勢可能なものであれば如何なるものであっても良く、例えば、板バネ等を適用することができる。
【００２４】
ここで、上蓋３について説明する。
上蓋３は、例えば、平面視略楕円形をなし、取出口１１を閉塞するように容器本体１に取り付けられた状態で容器本体１の外面部とともに半球状をなすように形成されている。具体的には、上蓋３は、例えば、容器本体１の回動取付部１６に取り付けられる回動軸を有する軸部分３１と、この軸部分３１から前方及び側方に延出され、容器本体１の外面部の曲率に合わせて所定の曲率を有する湾曲部３２と、この湾曲部３２の前端部から略真下に延出された前端面部３３等を備えている。
【００２５】
前端面部３３の下端部には、例えば、Ｘ軸方向後側に向けて所定の長さ突出された上蓋側凸部３３１が形成されている。
一方、上面部１２の取出口１１よりも前側であって、前端面部３３に対向する対向面部１３には、Ｘ軸方向前側に向けて所定の長さ突出された本体側凸部１３１が形成されている。
そして、上蓋３を取出口１１を閉塞するようにＸ軸方向前側に回動させると、当該上蓋３の上蓋側凸部３３１が対向面部１３の本体側凸部１３１に係止した状態となって、上蓋３の取出口１１を開放するようなＸ軸方向後側に対する回動が規制される（図５参照）。
ここで、上蓋側凸部３３１と本体側凸部１３１によって、上蓋３の回動を規制する回動規制部が構成されている。
【００２６】
また、対向面部１３の下側には、例えば、上摘み部４２の接触部４２３が係合する被係合部１４が形成されている。
被係合部１４は、例えば、対向面部１３の表面からＸ軸方向の後側に所定の深さ座刳られ、且つ、Ｙ軸方向に沿って延在するように溝状に形成された凹部となっている。そして、被係合部１４に接触部４２３が挿入して係合することにより、回動軸部４２２（後述）を中心とする当該上摘み部４２の回動が規制されるようになっている。つまり、被係合部１４は、接触部４２３を係合する本実施形態における第１被係合部（被係合部）として機能する凹部となっている。
【００２７】
また、容器本体１の上面部１２の取出口１１よりも前側には、例えば、操作部４を取り付けるための操作部取付部１５が設けられている。
【００２８】
ここで、操作部４について詳細に説明する。
操作部４は、例えば、操作部取付部１５の所定位置に取付固定された下摘み部４１と、この下摘み部４１の上側に設けられた樹脂製の上摘み部４２等を備えて構成されている。
【００２９】
下摘み部４１は、例えば、断面略Ｌ字状に形成され、先端部がＸ軸方向前側に向けて突出するように固定されて配設されている。また、下摘み部４１の先端部は、例えば、家庭用薄葉紙収納容器１００の外面部の曲率に合わせるように所定の曲率をもって湾曲して形成されている。
【００３０】
上摘み部４２は、例えば、取出口１１を閉塞するように上蓋３を閉じた状態で、ユーザにより操作される操作レバー部４２１がＸ軸方向前側であって斜め上向きに突出するように配設されている。また、上摘み部４２は、例えば、容器本体１の操作部取付部１５に対して回動自在に取り付けられ、当該容器本体１に対する回動の中心軸をなす回動軸部４２２と、この回動軸部４２を中心とする回動により上蓋３の前端面部３３の下端部（一端部）に接触して当該上蓋３を跳ね上げる接触部４２３とを有している。
即ち、上摘み部４２は、例えば、操作レバー部４２１と、この操作レバー部４２１の後側の端部に連続して設けられ、Ｙ軸方向側の両端面に回動軸部４２２が形成された中央本体４２４と、この中央本体４２４の後側の下端部に連続して設けられ、中央本体４２４よりも厚さが薄く形成された接触部４２３等を備えている。
【００３１】
接触部４２３は、例えば、図３に示すように、Ｙ軸方向に並んで所定間隔を空けて２つ設けられている。そして、各接触部４２３は、本実施形態における係合部（第１係合部）としても機能するようになっている。
【００３２】
また、上摘み部４２の操作レバー部４２１の先端部は、例えば、家庭用薄葉紙収納容器１００の外面部の曲率に合わせるように所定の曲率をもって湾曲して形成されている。
【００３３】
操作部取付部１５は、例えば、容器本体１の取出口１１よりも前方の左右両側であって、収納部５の外側となる位置に形成された左右の壁部１５１に設けられている。
左右の壁部１５１の各々は、例えば、Ｙ軸方向に沿うように略垂直に、且つ、Ｘ軸方向に沿って延在する起立面１５１ａを具備している。また、左右の壁部１５１の各々には、例えば、上摘み部４２の回動軸部４２２が取り付けられる取付穴部１５２が設けられ、取付穴部１５２の位置規制凸部１５３（後述）の下側に、当該壁部１５１から内側に窪んだ内部に貫通しない逃げ穴１５４が形成されている。
【００３４】
取付穴部１５２は、例えば、壁部１５１の起立面１５１ａからＹ軸方向に所定の深さ座刳られてなり、Ｘ軸方向に沿って延在するように長穴状（長円形状）に形成されている。
取付穴部１５２のＸ軸方向の長さは、例えば、上摘み部４２をＸ軸方向にスライドさせて、操作部４による取出口１１を開状態とするための操作をロックするロック位置とアンロックするアンロック位置とに配置することができる程度となっている。
【００３５】
ここで、上摘み部４２のロック位置とは、回動軸部４２２が取付穴部１５２に沿って移動するように操作部４を後方に押し込むことで接触部４２３が被係合部１４に係合されて回動軸部４２２を中心とする上摘み部４２の回動を規制する位置であり、アンロック位置とは、回動軸部４２２が取付穴部１５２に沿って移動するように操作部４を前方に引き出すことで接触部４２３と被係合部１４の係合が解除されて接触部４２３が前端面部３３の下端部（一端部）に接触可能な位置、つまり、上蓋３を跳ね上げ可能となるように前端面部３３の下端部の下側に接触部４２３が配置された位置（接触位置）のことである。即ち、上摘み部４２がアンロック位置に配された状態では（図５参照）、取付穴部１５２の内周面の前側部分に上摘み部４２の回動軸部４２２の外面が接触した状態となる一方で、上摘み部４２がロック位置に配された状態では（図７参照）、取付穴部１５２の内周面の後側部分に上摘み部４２の回動軸部４２２の外面が接触した状態となる。
【００３６】
また、取付穴部１５２の内周面のうち、Ｘ軸方向の略中央となる下側部分には、例えば、位置規制凸部１５３が上向きに突設されている。
位置規制凸部１５３は、例えば、取付穴部１５２の内周面の前側部分或いは後側部分に接触する位置にスライド移動した回動軸部４２２のＸ軸方向の位置を規制するものである。即ち、上摘み部４２をロック位置とアンロック位置との間で移動する場合には、回動軸部４２２が位置規制凸部１５３を乗り越えるようにしてＸ軸方向に移動することとなり、上摘み部４２がロック位置若しくはアンロック位置に配された状態では、位置規制凸部１５３により回動軸部４２２が取付穴部１５２内にてＸ軸方向に自由に移動することが規制されるようになっている。
【００３７】
逃げ穴１５４は、例えば、位置規制凸部１５３を挟むように取付穴部１５２に対向する位置に設けられている。これにより、取付穴部１５２内を回動軸部４２２がＸ軸方向に移動する際に、回動軸部４２２により位置規制凸部１５３が逃げ穴１５４側に押し込まれて取付穴部１５２が弾性変形して逃げることとなる。
【００３８】
さらに、本実施形態における操作部４は、第２係合部（係合部）としての操作部側凸部（凸部）４２５を有しており、この操作部側凸部４２５と対向する上蓋３の前端面部３３には、第２被係合部（被係合部）としての蓋体側凸部（凸部）３３２が設けられている。
つまり、本実施形態における家庭用薄葉紙収納容器１００は、第１係合部としての接触部４２３と第２係合部としての操作部側凸部４２５とからなる二つの係合部を備えるとともに、第１被係合部としての被係合部１４と第２被係合部としての蓋体側凸部３３２とからなる二つの被係合部とを備えている。
そして、回動軸部４２２が取付穴部１５２に沿って移動するように操作部４が後方に押し込まれることで、操作部側凸部４２５が蓋体側凸部３３２の上側に位置することとなり、接触部４２３（第１係合部）が被係合部１４（第１被係合部）に係合して回動軸部４２２を中心とする操作部４の回動を規制するとともに、操作部側凸部４２５（第２係合部）が蓋体側凸部３３２（第２被係合部）に係合して上蓋３（蓋体）の回動を規制する回動規制機構が構成されている。
【００３９】
かかる回動規制機構は、回動軸部４２２が取付穴部１５２に沿って移動するように操作部４を後方に押し込むことで、操作部４に設けられた接触部４２３（係合部）が容器本体１に設けられた被係合部１４（被係合部）に係合して、回動軸部４２２を中心とする操作部４の回動と上蓋３（蓋体）の回動とをともに規制するものである。
【００４０】
また、本実施形態では、第２係合部及び第２被係合部がともに凸部であり、上記回動規制機構は、第２係合部である操作部側凸部４２５と第２被係合部である蓋体側凸部３３２とが係合することで上蓋３の回動を規制するように構成されている。
具体的には、回動軸部４２２が取付穴部１５２に沿って移動するように操作部４を後方に押し込むことで、接触部４２３を被係合部１４と係合させて操作部４をロック位置に配置した状態（図７参照）において、操作部側凸部４２５が蓋体側凸部３３２の上端部に当接されるようになっている。
【００４１】
次に、取出口１１を開放状態とするための操作部４の操作及び当該操作のロック機構について図５〜図７を参照して説明する。
ここで、図５〜図７は、図４の領域Ａの要部拡大断面図であり、図５は、上摘み部４２がアンロック位置に配された状態を表し、図６は、取出口１１を開放状態とするために上摘み部４２が操作された状態を表し、図７は、上摘み部４２がロック位置に配された状態を表している。
【００４２】
先ず、上蓋３が閉じられた状態から取出口１１を開放状態とする場合、回動軸部４２２が取付穴部１５２に沿ってスライドするように前方に引き出して上摘み部４２をアンロック位置に配設する（図４、図５参照）。このとき、回動軸部４２２がＸ軸方向前側に移動して位置規制凸部１５３を乗り越える際には、位置規制凸部１５３の下側に逃げ穴１５４が設けられているため、取付穴部１５２が弾性変形することとなり、上摘み部４２をスムーズに移動させることができる。
これにより、上摘み部４２は、接触部４２３が上蓋３の前端面部３３の下端部の下側となる接触位置、即ち、アンロック位置に配置される。そして、接触部４２３と被係合部１４との係合が解除されるとともに、操作部側凸部４２５と蓋体側凸部３３２との係合も解除される。
【００４３】
この状態で、上摘み部４２の操作レバー部４２１が下側に移動するように操作されると、上摘み部４２は回動軸部４２２を中心として接触部４２３が上側に移動するように回動して、当該接触部４２３が前端面部３３の下端部に接触する。このとき、前端面部３３の下端部に回動規制部の規制力より大きな力が加わることで上蓋３が跳ね上げられることとなる（図６参照）。そして、付勢部材１６１により付勢される上蓋３は、Ｘ軸方向の後側に回動して取出口１１を開放状態となる。
【００４４】
次に、上摘み部４２をロック位置に配設する場合について説明する。
例えば、アンロック位置に配設された上摘み部４２をロック位置に移動させる場合、回動軸部４２２が取付穴部１５２に沿ってスライドするように上摘み部４２を押し込む。このとき、回動軸部４２２がＸ軸方向後側に移動する際には、アンロック位置に配設する場合と同様に、逃げ穴１５４により取付穴部１５２が弾性変形することで回動軸部４２２が位置規制凸部１５３を乗り越えて上摘み部４２をスムーズに移動させることができる。
そして、Ｘ軸方向後側に移動する接触部４２３は、被係合部１４に係合してＹ軸方向を軸心とする回動が規制された状態となり、当該接触部４２３を前端面部３３の下端部に接触不可能な接触不可位置、即ち、ロック位置に配置される。また、これと同時に、操作部側凸部４２５が蓋体側凸部３３２の上部に当接されることにより、上蓋３の開放動作も規制されることとなる。
【００４５】
以上のように、本実施形態の家庭用薄葉紙収納容器１００によれば、取出口１１を開放状態とするために上蓋３の前端面部３３の下端部を接触部４２３により跳ね上げる上摘み部４２が、上蓋３の前端面部３３の下端部に接触部４２３を接触不可能な接触不可位置（ロック位置）に配置されることで上摘み部４２の上蓋３の回動に係る操作を禁止することができるとともに、この上摘み部４２に設けられた操作部側凸部４２５が蓋体側凸部３３２の上部に当接されることにより、上蓋３の開放動作を確実に防止することができる。
【００４６】
即ち、従来のように、上摘み部４２により上蓋３を回動させる操作をロックするロック部材を別に設けることなく、上摘み部４２を接触部４２３が上蓋３の前端面部３３の下端部に接触可能な接触位置（アンロック位置）と接触不可能な接触不可位置（ロック位置）との間で移動させるだけで、具体的には、上摘み部４２を回動軸部４２２が取付穴部１５２に沿ってスライドするように押し込んだり引き出したりするだけで、接触部４２３を接触不可位置や接触位置に配置することができ、これにより、上摘み部４２の上蓋３の回動に係る操作を禁止したり当該禁止を解除することができるとともに、例えば、ロック状態において上蓋３を無理やりこじ開けようとした場合であっても、当該上蓋３が開放されることを確実に防止することができる。このように、より簡略な構造で上摘み部４２の上蓋３の回動に係る操作を禁止することができる。
【００４７】
すなわち、回動軸部４２２が取付穴部１５２に沿って移動するように上摘み部４２を押し込むという簡略な構造で、操作部４の回動に係る操作を禁止することができるとともに上蓋３の開放動作を防止することができる。換言すれば、上摘み部４２という一つの部材を押し込むという簡略な構造により、一度の操作をもって、上摘み部４２の回動と上蓋３の開放動作とを同時に規制することができる。また、その結果、接触部４２３による上蓋３の跳ね上げ動作を規制することができるため、上蓋３の開放による容器本体１内部の気密性の低下を防止することができ、ウェットシートやウェットティシュー等の家庭用薄葉紙Ｐからの水分の蒸発を防止して、当該家庭用薄葉紙Ｐの乾燥を適正に防止することができる。
【００４８】
また、上摘み部４２という一つの部材を押し込むという簡易な構造により、一度の操作をもって接触部４２３と被係合部１４、及び、操作部側凸部４２５と蓋体側凸部３３２とを同時に係合させることができる。従って、回動軸部４２２を中心とする上摘み部４２の回動に係る操作と上蓋３の開放動作とを、一つの係合部と被係合部とで規制する場合に比べてより確実に防止することができる。
【００４９】
また、第１係合部を構成する接触部４２３が容器本体１に設けられた第１被係合部としての被係合部１４（凹部）と係合することで、回動軸部４２２を中心とする上摘み武４２の回動を確実に規制することができるとともに、この上摘み部４２に第２係合部としての操作部側凸部４２５が設けられていて、接触部４２３及び被係合部１４が係合するのと同時にこれら操作部側凸部４２５と蓋体側凸部３３２とが係合することにより、上蓋３の開放動作も確実に規制することができる。従って、容器本体１の気密性が阻害されることをより確実に防止することができる。
【００５０】
さらに、接触部４２３を容器本体１の被係合部（凹部）１４と係合させる構成として、上摘み部４２の回動と上蓋３の開放動作とを確実に防止できる構成としたことにより、例えば、回動軸部４２２が取付穴部１５２に沿って移動するように上摘み部４２を押し込んだり引き出したりする距離（ストローク）を短縮することができる。従って、操作性の向上を図ることができ、使い勝手のよい家庭用薄葉紙収納容器１００を提供することができる。
【００５１】
なお、上記実施形態では、蓋体側凸部３３２の上部に操作部側凸部４２５が当接するように係合させることで上摘み部４２（操作部４）の回動を規制するようにしたが、例えば、図８に示すように、操作部４における操作部側凸部４２５の下部に蓋体側凸部３３２が係合する凹部を設けるとともに、上蓋３の前端面部３３における蓋体側凸部３３２の上部に操作部側凸部４２５が係合する凹部を設けることにより、上摘み部４２の回動を規制するようにしても良い。また、本発明は、上記実施形態に限定されることなく、本発明の趣旨を逸脱しない範囲において、種々の改良並びに設計の変更を行っても良い。
【００５２】
［実施形態２］
次に、本発明を適用した実施形態２に係る家庭用薄葉紙収納容器１０００について、図９〜図１１を参照して説明する。
図９は、実施形態２に係る家庭用薄葉紙収納容器１０００の上摘み部１４２を引き出した状態を示す要部拡大断面図であり、図１０は、上摘み部１４２を押し込んだ状態を示す要部拡大断面図であり、図１１は、本発明を適用した好適な実施形態２として例示する家庭用薄葉紙収納容器１０００を示す斜視図である。
なお、以下の実施形態２〜４において、上記実施形態１と同一の構成については同一の符号を付し、重複する説明は省略するものとする。
【００５３】
本実施形態の家庭用薄葉紙収納容器１０００は、例えば、図９〜図１１に示すように、係合部（第２係合部）として、操作部側凸部４２５に代えて上摘み部１４２の上端部に操作部上端凸部４２６を有するとともに、被係合部（第２被係合部）として、蓋体側凸部３３２に代えて上蓋３における上摘み部１４２側の上縁部に段部３３３を備えているという点において上記実施形態１と異なっている。
【００５４】
具体的には、操作部上端凸部４２６は、上摘み部１４２における上蓋３と対向する面の上端部に設けられ、上蓋３側に向けて突設されている。一方、この操作部上端凸部４２６と対向する上蓋３における前端面部３３の上縁部には、上摘み部１４２がロック位置に配置された際に操作部上端凸部４２６と係合する段部３３３が設けられている。そして、回動軸部４２２が取付穴部１５２に沿って移動するように上摘み部１４２を後方に押し込むことで、上摘み部１４２をロック位置に配置した際に、操作部上端凸部４２６と段部３３３とが係合し、操作部上端凸部４２６が上蓋３と同一の曲面を形成するようになっている。なお、操作部上端凸部４２６は、例えば、図１１（ａ）に示すように、上摘み部１４２に別部材を連結して設けてもよいし、図１１（ｂ）に示すように、上摘み部１４２と一体に成形して設けてもよい。また、本実施形態では、上摘み部１４２をロック位置に配置した状態で操作部上端凸部４２６により上蓋３を上方から係止することができればよく、例えば、段部３３３を省略して上蓋３の上面を操作部上端凸部４２６で押さえる構成としてもよい。
さらに、上摘み部１４２の下部には係合部（第１係合部）としての接触部４２３が設けられ、容器本体１には被係合部１４（第１被係合部）が設けられている。
そして、回動軸部４２２が取付穴部１５２に沿って移動するように上摘み部１４２をアンロック位置に配置した状態（図９参照）においては、接触部４２３と被係合部１４との係合が解除されるとともに、操作部上端凸部４２６と段部３３３との係合も解除される。そして、この状態において、回動軸部４２２を中心とする上摘み部１４２の回動により、接触部４２３が上蓋３の一端部を跳ね上げることが可能となる
また、回動軸部４２２が取付穴部１５２に沿って移動するように上摘み部１４２を後方に押し込み、該上摘み部１４２をロック位置に配置した状態（図１０参照）においては、接触部４２３が被係合部１４に係合されるとともに、操作部上端凸部４２６が段部３３３に係合されるようになっている。
つまり、これら第１係合部及び第２係合部からなる係合部と、第１被係合部及び第２被係合部からなる被係合部とにより、回動規制機構が構成されている。
【００５５】
以上述べた実施形態２に係る家庭用薄葉紙収納容器１０００によれば、回動規制機構は、第２係合部である操作部上端凸部４２６と第２被係合部である段部３３３とが係合することで上蓋３の回動が規制される。従って、簡易な構造で上摘み部１４２の回動に係る操作を確実に禁止することができるとともに、該上摘み部１４２の開放動作を確実に防止することができる。
【００５６】
［実施形態３］
次に、本発明を適用した実施形態３に係る家庭用薄葉紙収納容器２０００の構成について図１２及び図１３を参照しながら詳しく説明する。
【００５７】
本実施形態に係る家庭用薄葉紙収納容器２０００は、例えば、図１２及び図１３に示すように、係合部（第２係合部）として、操作部側凸部４２５に代えて上摘み部２４２における上蓋３側の対向面部に凹部４２７を有するとともに、被係合部（第２被係合部）として、蓋体側凸部３３２に代えて上蓋３における上摘み部２４２側の対向面部３３に、前記凹部４２７と係合する凸部３３４を備えているという点において上記実施形態１〜２と異なっている。
具体的には、凹部４２７は、回動軸部４２２が取付穴部１５２に沿って移動するように引き出されることで、接触部４２３が上蓋３の前端面部３３の下端部と接触可能であって上蓋３を跳ね上げることが可能な位置に配置された状態（図１２参照）において、凸部３３４との係合が解除されるとともに、上摘み部２４２がロック位置（図１３参照）に配置された状態においては凸部３３４と係合され、回動軸部４２２を中心とする上摘み武２４２の回動及び上蓋３の開放動作をともに規制することができるようになっている。
【００５８】
以上述べた実施形態３に係る家庭用薄葉紙収納容器２０００によれば、回動規制機構は、係合部である凹部４２７が被係合部である凸部３３４に係合することで、回動軸部４２２を中心とする上摘み部２４２の回動と上蓋３の回動とをともに規制することができる。すなわち、凹部４２７と凸部３３４とを係合させるという簡略な構造で、上摘み部２４２の回動に係る操作を禁止することができるとともに上蓋３の開放動作を防止することができる。さらに、本実施形態に係る家庭用薄葉紙収納容器２０００によれば、凹部４２７と凸部３３４を係合させるだけで、例えば、接触部４２３を設けなくとも上摘み部２４２の回動と上蓋３の開放動作とを何れも規制することができる。従って、例えば、接触部４２３を省略することができるというメリットを得ることができる。また、上摘み部２４２側に凹部４２７を設け、上蓋３側に凸部３３４を設けることにより、容器本体１内部の収納スペースを害することがなく、また、該容器本体１内部の気密性を損なうことがない。
【００５９】
［実施形態４］
次に、本発明を適用した実施形態４に係る家庭用薄葉紙収納容器３０００の構成について図面を参照しながら詳しく説明する。
【００６０】
本実施形態に係る家庭用薄葉紙収納容器３０００は、例えば、図１４に示すように、係合部（第２係合部）として、操作部側凸部４２５に代えて上摘み部３４２における上蓋３側の対向面部に凸部４２８を有するとともに、被係合部（第２被係合部）として、蓋体側凸部３３２に代えて上蓋３における上摘み部３４２側の対向面部３３に、前記凸部４２８と係合する凹部３３５を備えているという点において上記実施形態１〜３と異なっている。
具体的には、凸部４２８は、回動軸部４２２が取付穴部１５２に沿って移動するように引き出されることで、接触部４２３が上蓋３の前端面部３３の下端部と接触可能であって上蓋３を跳ね上げることが可能な位置に配置された状態において、凹部３３５との係合が解除されるとともに、上摘み部３４２がロック位置（図１４参照）に配置された状態においては凹部３３５と係合され、回動軸部４２２を中心とする上摘み部３４２の回動及び上蓋３の開放動作をともに規制することができるようになっている。
【００６１】
以上述べた実施形態４に係る家庭用薄葉紙収納容器３０００によれば、回動規制機構は、係合部である凸部４２８が被係合部である凹部３３５に係合することで、回動軸部４２２を中心とする上摘み部３４２の回動と上蓋３の回動とをともに規制することができる。すなわち、凸部４２８と凹部３３５とを係合させるという簡略な構造で、上摘み部３４２の回動に係る操作を禁止することができるとともに上蓋３の開放動作を防止することができる。さらに、本実施形態に係る家庭用薄葉紙収納容器３０００によれば、凸部４２８と凹部３３５を係合させるだけで、例えば、接触部４２３を設けなくとも上摘み部３４２の回動と上蓋３の開放動作とを何れも規制することができる。従って、接触部４２３を省略することができるというメリットを得ることができる。
【００６２】
なお、係合部及び被係合部は、何れを凸部としてもよく、一方を凸部とした場合に他方をこの凸部と係合する凹部又は凸部とすればよい。
また、これら係合部及び被係合部からなる回動規制機構は、１対又は２対に限定されるものではなく、３対以上設けることとしてもよい。
【図面の簡単な説明】
【００６３】
【図１】本発明を適用した好適な実施形態１として例示する家庭用薄葉紙収納容器を示す平面図である。
【図２】図１の家庭用薄葉紙収納容器を示す正面図である。
【図３】図１の家庭用薄葉紙収納容器を示す底面図である。
【図４】図１のIV−IV線における家庭用薄葉紙収納容器の断面図である。
【図５】図４の領域Ａの要部拡大断面図である。
【図６】図４の領域Ａの要部拡大断面図である。
【図７】図４の領域Ａの要部拡大断面図である。
【図８】家庭用薄葉紙収納容器の操作部の要部拡大断面図である。
【図９】実施形態２に係る家庭用薄葉紙収納容器の操作部の要部拡大断面図である。
【図１０】実施形態２に係る家庭用薄葉紙収納容器の操作部の要部拡大断面図である。
【図１１】実施形態２の家庭用薄葉紙収納容器を示す斜視図である。
【図１２】実施形態３に係る家庭用薄葉紙収納容器の操作部の要部拡大断面図である。
【図１３】実施形態３に係る家庭用薄葉紙収納容器の操作部の要部拡大断面図である。
【図１４】実施形態４に係る家庭用薄葉紙収納容器の操作部の要部拡大断面図である。
【符号の説明】
【００６４】
１００、１０００、２０００、３０００  家庭用薄葉紙収納容器
１        容器本体
１１      取出口
１４      被係合部
１３      周面部
１５１    壁部
１５２    取付穴部
１５３    位置規制凸部
１５４    貫通穴
２        底蓋
３        上蓋（蓋体）
３３      前端面部
３３２    蓋体側凸部
４        操作部
４１      下摘み部
４２、１４２、２４２  上摘み部
４２２    回動軸部
４２３    接触部
４２５    操作部側凸部（凸部、第２係合部、係合部）
５        収納部
Ｐ        家庭用薄葉紙
【図１】
2008296976.tif 000003
【図２】
2008296976.tif 000004
【図３】
2008296976.tif 000005
【図４】
2008296976.tif 000006
【図５】
2008296976.tif 000007
【図６】
2008296976.tif 000008
【図７】
2008296976.tif 000009
【図８】
2008296976.tif 000010
【図９】
2008296976.tif 000011
【図１０】
2008296976.tif 000012
【図１１】
2008296976.tif 000013
【図１２】
2008296976.tif 000014
【図１３】
2008296976.tif 000015
【図１４】
2008296976.tif 000016